(57)【要約】【課題】振分機構による遊技球の振り分けの態様が斬新であり、非常に趣向性が高く、長期間に亘って遊技者の遊技意欲を高く保持することが可能な遊技機を提供する。【解決手段】パチンコ機の遊技盤面には、大型の遊技部材が設置されており、その遊技部材には、振分入賞装置１２が設けられている。振分入賞装置１２は、表面に突起体３１，３１・・および突起体３２，３２・・を設け、かつ、前方から後方へかけて下向きに傾斜させた平板状の振分板１５と、振分板１５に穿設された第一導球孔２６，２６・・に入り込んだ遊技球をステージ１６へ導くための第一誘導路３８と、振分板１５に穿設された第二導球孔２７，２７に入り込んだ遊技球を通過孔３７へ導くための第二誘導路３９と、振分板１５の上面に遊技球を落下させるための落球部材１４とを有している。【選択図】図２
2010022429.tif 000002
【特許請求の範囲】
【請求項１】
内部に入り込んだ遊技球を複数の入賞口の内のいずれかあるいはアウト口へ振り分けるための振分機構が遊技盤面に設けられた遊技機であって、
前記振分機構が、
後側に複数の導球孔を設けるとともに、それらの導球孔の前方に複数の突起体を設け、かつ、前方から後方へかけて下向きに傾斜させた平板状の振分板と、
前記各導球孔に入り込んだ遊技球を複数の異なる領域に導くための複数の誘導路と、
前記振分板の上面に遊技球を落下させるための落球部材と
を有するものであることを特徴とする遊技機。
【請求項２】
前記落球部材が、
遊技球を落下させるための遊技球と略同一の径を有する落球孔の周囲に、下向きの円錐台状のテーパ面を設けたものであることを特徴とする請求項１に記載の遊技機。
【請求項３】
前記導球孔の少なくとも一部が、周囲にテーパ部を設けたものであることを特徴とする請求項１、または請求項２に記載の遊技機。
【発明の詳細な説明】
【技術分野】
【０００１】
本発明は、パチンコ機等の遊技機に関するものである。
【背景技術】
【０００２】
遊技機の一種であるパチンコ機の中には、大型の遊技部材が遊技盤面に設けられており、当該遊技部材に、遊技者にとっての価値が異なる複数の入賞口と、内部に入り込んだ遊技球をメカニカルな作動によって複数の入賞口に振り分ける振分機構とを設けたものがある。そして、そのような振分機構としては、特許文献１の如く、ピンを突設した円盤状の振分体を水平面内で回転させ、ピンと遊技球とを衝突させることにより遊技球の入賞先の振り分けを行うものや、特許文献２の如く、突起を設けた板状の振分体を上下動させることによって遊技球の入賞先の振り分けを行うもの等が知られている。
【０００３】
【特許文献１】特開２００６−５５４１４号公報
【特許文献２】特開２００８−３６１０２号公報
【発明の開示】
【発明が解決しようとする課題】
【０００４】
しかしながら、上記従来の振分機構を備えたパチンコ機は、いずれも、振分体を設けた振分領域の後方あるいは側方から、遊技球を単純に振分領域内へ導き入れるものであり、振分体による遊技球の振り分けの態様が単調であるため、趣向性が低く、短期間の内に遊技者に飽きられ易いという不具合があった。また、振分領域内に入り込む際の遊技球の勢いによって、偏った振り分けがなされてしまうことが多く、出玉率を調整しにくいという不具合もあった。
【０００５】
本発明の目的は、上記従来のパチンコ機が有する問題点を解消し、振分機構による遊技球の振り分けの態様が斬新であり、非常に趣向性が高く、長期間に亘って遊技者の遊技意欲を高く保持することが可能な遊技機を提供することにある。
【課題を解決するための手段】
【０００６】
本発明の内、請求項１に記載された発明は、内部に入り込んだ遊技球を複数の入賞口の内のいずれかあるいはアウト口へ振り分けるための振分機構が遊技盤面に設けられた遊技機であって、前記振分機構が、後側に複数の導球孔を設けるとともに、それらの導球孔の前方に複数の突起体を設け、かつ、前方から後方へかけて下向きに傾斜させた平板状の振分板と、前記各導球孔に入り込んだ遊技球を複数の異なる領域に導くための複数の誘導路と、前記振分板の上面に遊技球を落下させるための落球部材とを有するものであることを特徴とするものである。
【０００７】
請求項２に記載された発明は、請求項１に記載された発明において、前記落球部材が、遊技球を落下させるための遊技球と略同一の径を有する落球孔の周囲に、下向きの円錐台状のテーパ面を設けたものであることを特徴とするものである。
【０００８】
請求項３に記載された発明は、請求項１、または請求項２に記載された発明において、前記導球孔の少なくとも一部が、周囲にテーパ部を設けたものであることを特徴とするものである。
【発明の効果】
【０００９】
請求項１に記載された遊技機は、落球部材から振分板上への遊技球の落下によって振分領域内への遊技球の導入がなされるものであり、振分機構による遊技球の振り分けの態様が斬新であるため、非常に趣向性が高く、長期間に亘って遊技者の遊技意欲を高く保持することができる。
【００１０】
請求項２に記載された遊技機は、振分機構の内部に入り込んだ遊技球の勢いを減殺して当該遊技球を振分板上に落下させるものであるため、予定した割合で各導球孔へ遊技球を振り分けることができる。
【００１１】
請求項３の遊技機によれば、遊技球が導球孔に入らず振分板上で不必要に停滞する事態の発生を高い精度で防止することができる。
【発明を実施するための最良の形態】
【００１２】
［パチンコ機の構造］
以下、本発明の遊技機の一実施形態であるパチンコ機について、図面にしたがって詳細に説明する。図１は、本発明に係るパチンコ機を示したものであり、パチンコ機１は、機枠２の片側縁に、前面枠３が開閉自在に蝶着されており、前面枠３の中央よりやや上側の後方には、遊技盤４が設置されている。遊技盤４の表面には、発射装置（図示せず）によって発射された遊技球を遊技盤４の上方まで導くための金属製で帯状のガイドレール８が円弧状に立設されており、当該ガイドレール８によって、略円形の遊技領域１０が区画された状態になっている。そして、当該遊技領域１０の略中央には、大型の遊技部材１１が設置されており、その遊技部材１１の左側には、振分機構として機能する振分入賞装置１２が設けられている。
【００１３】
図２は、振分入賞装置１２の前方斜視図である。振分入賞装置１２は、略円柱状に形成されており、外周がハウジング１３によって覆われている。そして、そのハウジング１３の内部には、落球部材１４、振分板１５、ステージ１６、被覆部材１７、回転通路体１８，１８、受止部材１９等が設けられている。
【００１４】
図３は、落球部材１４を上から見た状態を示したものである。落球部材１４は、ハウジング１３の上端際に設けられており、屈曲した長尺状の通路部２１の先端に、遊技球を振分板１５上に落下させるための落球部２３が設けられている。通路部２１には、遊技球が流下可能な断面Ｕ字状の溝が形成されており、当該溝が基端から先端にかけて下向きに傾斜した状態になっている。また、通路部２１の基端には、遊技部材１１の上端際に設けられた飛込口２０と連通した通過孔２２が設けられている（図２参照）。一方、落球部２３の略中央には、落球孔２４が穿設されており、その落球孔２４の周囲には、周囲から中央に向かって下向きに傾斜したリング状のテーパ面２５が設けられている。なお、落球孔２４は、振分板１５の略中央（幅方向の略中央）の上方に位置した状態になっている。
【００１５】
また、図４は、振分板１５の設置部分を示したものである。振分板１５は、略長方形の平板状に形成されており、落球部材１４の下側に所定の距離を隔てて設けられている（図２参照）。そして、前方から後方へかけて所定の角度（水平面とのなす角＝約１０°）で下向きに傾斜した状態になっている。さらに、振分板１５の中央および左右の端縁際の後方には、遊技球をステージ１６の中央へ導くための３つの第一導球孔２６，２６・・が穿設されている。加えて、中央の第一導球孔２６と左右の第一導球孔２６，２６との間には、それぞれ、遊技球を被覆部材１７の通過孔３７へ導くための第二導球孔２７，２７が穿設されており、それらの第二導球孔２７，２７が、第一導球孔２６，２６・・よりも後方に位置した状態になっている。
【００１６】
また、振分板１５の左右には、側壁２８，２８が、振分板１５の板面と略直交するように立設されている。さらに、各第一導球孔２６，２６・・および第二導球孔２７，２７の後方には、それらの導球孔へ遊技球を導き入れるための誘導壁２９，２９・・が、振分板１５の板面と略直交するように立設されている。そして、それらの側壁２８，２８、誘導壁２９，２９・・・によって、振分板１５の表面に落下した遊技球が、振分板１５の左右あるいは後方から飛び出すことなく、第一導球孔２６，２６・・あるいは第二導球孔２７，２７に導かれるようになっている。さらに、中央の第一導球孔２６の左右、左側の第一導球孔２６の右側 、および、右側の第一導球孔２６の左側には、テーパ部３０が設けられており、第一導球孔２６の周囲が、外側から孔の穿設際にかけて所定の角度（水平面とのなす角＝約１０°）で下向きに傾斜した状態になっている。また、中央の第一導球孔２６と左側の第一導球孔２６との幅（テーパ部を除いた幅）、および、中央の第一導球孔２６と右側の第一導球孔２６との幅は、いずれも、遊技球の直径より短くなっている。
【００１７】
さらに、振分板１５の表面には、７個の大型の突起体３１，３１・・および２６個の小型の突起体３２，３２・・が、互いに、前後左右に所定の間隔を隔てて、散点状に突設されている。大型の突起体３１，３１・・および小型の突起体３２，３２・・は、いずれも、三角錐状に形成されており、底面の一つの頂点を前側に向け、かつ、一つの稜線を前後方向と一致させた状態になっている。また、振分板１５の略中央（前後方向における略中央）においては、１４個の小型の突起体３２，３２・・が、左右方向の間隔を等しくするようにおよそ前後２列に並んだ状態になっており、振分板１５の後側（第一導球孔２６，２６・・および第二導球孔２７，２７の設置際）においては、６個の大型の突起体３１，３１・・が、左右方向の間隔を等しくするように設けられている。そして、振分板１５の略中央（前後方向における略中央）における突起体３２，３２・・の設置密度（単位面積あたりの個数）が、振分板１５の後側における突起体３１，３１・・の設置密度より高くなっている。
【００１８】
一方、図２の如く、振分板１５の下方には、後方から前方へかけて所定の角度で下向きに傾斜した平坦なステージ１６が設けられている。当該ステージ１６の前端際の略中央には、四角錐状の突起体３３が設けられており、底面の一つの頂点を後側に向け、かつ、一つの稜線を前後方向と一致させた状態になっている。また、当該突起体３３の左右には、遊技球の直径以上の距離を隔てて、縦長な帯状の凸状部３４，３４が、ステージ１６の後端から前端まで縦断して、ステージ１６の表面から突出するように設けられている。さらに、それらの凸状部３４，３４には、それぞれ、左右に蛇行した凹状溝３５，３５が、左右対称となるように刻設されている。
【００１９】
また、振分板１５の下方には、下側の中央に開口部３６を設けた平板状の被覆部材１７が鉛直状に設けられており、その被覆部材１７の下端の左右には、遊技球が通過可能な円形（遊技球の直径よりわずかに大きな直径を有する円形）の通過孔３７，３７が穿設されている。そして、それらの各通過孔３７，３７が、それぞれ、ステージ１６の左右に設けられた凹状溝３５，３５と連通した状態になっている。さらに、被覆部材１７の裏側においては、３つの第一導球孔２６，２６・・の下側に、それぞれ、遊技球をステージ１６上へ導くための第一誘導路３８，３８・・が連設されており、２つの第二導球孔２７，２７の下側に、それぞれ、遊技球を通過孔３７，３７の裏側に導くための第二誘導路３９，３９が連設されている。
【００２０】
また、ステージ１６の先端際の下方には、平板状の区画部材４７が鉛直状に設けられており、その区画部材４７の後方が、入り込んだ遊技球をアウト球として回収するためのアウト口４０およびアウト口５９，５９として区画された状態になっている。さらに、当該区画部材４７の上端際には、略矩形の３つのスリット５５ａ，５５ｂ，５５ｂが併設されている。そして、中央のスリット５５ａの下方（アウト口４０の前方の部分）には、左右の凸状部３４，３４の間を通ってステージ１６上から落下した遊技球を受け止めるための受止部材１９ａが、ステージ１６の前端縁より遊技球１個分以上の長さだけ前方へ突出するように設けられている。さらに、ステージ１６の先端の左右の下方（アウト口５９，５９の前方の部分）には、左右のスリット５５ｂ，５５ｂの下方には、それぞれ、左右の凸状部３４，３４の外側を通ってステージ１６上から落下した遊技球を受け止めるための受止部材１９ｂ，１９ｂが、受止部材１９ａと同様に、ステージ１６の前端縁より遊技球１個分以上の長さだけ前方へ突出するように設けられている。そして、それらの受止部材１９ａ，１９ｂ，１９ｂは、船形に形成されており、底面が前方から後方へかけて下向きに傾斜した状態になっている。
【００２１】
さらに、中央の受止部材１９ａの左右には、それぞれ、扁平な円盤状の回転通路体１８，１８が、裏面の中央に突設された水平軸（図示せず）を中心として回動可能に枢着されている。そして、それらの回転通路体１８，１８の中央（左右方向における中央）には、それぞれ、遊技球が流下可能な水平断面コ字状の遊技球通路４１が、上下を縦断するように設けられている。
【００２２】
また、各回転通路体１８，１８および受止部材１９ａ，１９ｂ，１９ｂの下方には、遊技球を貯留可能で幅広な空洞部４２が設けられており、当該空洞部４２の中央の下方には、遊技球が流下可能な流下路４３が設けられている。加えて、その流下路４３の前方には、７セグメント方式の表示装置４４が設置されている。
【００２３】
また、図１の如く、遊技部材１１の左上方には、液晶画面を有する円形の第一図柄表示装置４５が設けられており、各種の文字、図柄、動画等を表示することができるようになっている。さらに、振分入賞装置１２の右下方には、液晶画面を有する矩形の第二図柄表示装置４６が設けられており、第一図柄表示装置４５と同様に、各種の文字、図柄、動画等を表示することができるようになっている。加えて、振分入賞装置１２の下方には、第二入賞口（図柄始動口）として機能する入賞部材５３が設けられている。
【００２４】
一方、遊技領域１０には、遊技部材１１の他に、図柄始動ゲート４８、図柄表示装置４９、電動開閉式入賞装置（所謂、電動式チューリップ）５０、大入賞装置５１，５２、各種の入賞装置５４，５４・・、電飾ランプ、風車等が設置されているとともに、多数の障害釘９，９・・等が植設されている。一方、前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００２５】
［パチンコ機の作動内容］
上記の如く構成されたパチンコ機１においては、発射ハンドル７の回動操作によって発射装置（図示せず）から遊技球が発射され、発射された遊技球が電動開閉式入賞装置５０、大入賞装置５１，５２等の各種の入賞装置等に入賞した場合には、賞品球払出装置（図示せず）によって、所定個数の賞品球が払い出されるようになっている。
【００２６】
＜振分機構による遊技球の振り分け＞
また、遊技球が、飛込口２０から遊技部材１１の内部に入り込んだ場合には、当該遊技球が、導球路（図示せず）を通って、落球部材１４の通過孔２２まで導かれる。落球部材１４に導かれた遊技球は、落球部材１４の先端まで導かれて、落球孔２４から振分板１５の前端際に落下する。なお、落球孔２４の周囲には、テーパ面２５が設けられているので、遊技球が落球孔２４から短時間の内に連続的に落下する事態が回避されるとともに、落下する遊技球の勢いが効率的に減殺される。そして、振分板１５上に落下した遊技球は、大型の突起体３１，３１・・および小型の突起体３２，３２・・に衝突しながら、左右に転動し、第一導球孔２６，２６・・あるいは第二導球孔２７，２７のいずれかに導かれる（すなわち、振分板１５上に落下した遊技球は、第一導球孔２６あるいは第二導球孔２７へ振り分けられる）。なお、大型の突起体３１，３１・・および小型の突起体３２，３２・・は、いずれも、三角錐状に形成されており、底面の一つの頂点を前側に向け、かつ、一つの稜線を前後方向と一致させた状態になっているため、遊技球が突起体３１あるいは突起体３２の前方で不必要に停滞する事態が生じない。
【００２７】
そして、第二導球孔２７，２７・・に導かれた遊技球は、第二誘導路３９を通って被覆部材１７の通過孔３７へ導かれ、ステージ１６の左右に設けられた凹状溝３５を転動して、凹状溝３５の先端から落下し、回転通路体１８の遊技球通路４１を通って、空洞部４２に導かれる。そして、空洞部４２の下端に設けられた流下路４３から振分入賞装置１２の下方に設けられた第二入賞口である入賞部材５３に入賞し（図１参照）、入賞部材５３内に設けられた入賞検知センサ（図示せず）によって、その入賞が検知される。
【００２８】
遊技球が入賞部材５３に入賞すると、パチンコ機１の内部に設置された制御装置（図示せず）において大当たり抽選が実行される。そして、その大当たり抽選の結果、「大当たり」になった場合には、「大当たり状態」が生起する。また、遊技球が入賞部材５３に入賞した場合には、第一図柄表示装置４５において、所定の時間だけ図柄の変動表示を実行し、当該変動表示の後に「大当たり図柄」あるいは「はずれ図柄」を表示することによって大当たり抽選の結果を表示する。生起した「大当たり状態」においては、大入賞装置５１が所定時間の開成を所定回数だけ断続的に繰り返す。したがって、「大当たり状態」が生起した場合には、遊技者は、多くの賞品球を獲得することができる。
【００２９】
一方、第一導球孔２６，２６・・に導かれた遊技球は、第一誘導路３８を通ってステージ１６の後方へ導かれ、ステージ１６の中央（左右の凸状部３４，３４の間）を通って、ステージ１６の先端から受止部材１９ａ内に落下する。そして、受止部材１９ａの底面上を転動した後にアウト口４０に入り込む。なお、ステージ１６の前端際には突起体３３が設けられているため、遊技球が第二導球孔２７，２７から回転通路体１８の遊技球通路４１に導かれる確率に比べてきわめて低い確率ではあるが、ステージ１６に導かれた遊技球が突起体３３に衝突して回転通路体１８の遊技球通路４１に導かれる事態も発生する。また、各凹状溝３５，３５を流下中の遊技球が他の遊技球との衝突等によって凹状溝３５，３５から内側（左右方向における内側）へ外れた場合（飛び出した場合）には、ステージ１６の先端から受止部材１９ａ内に落下し、落下した受止部材１９ａの底面上を転動してアウト口４０へ入り込む。一方、各凹状溝３５，３５を流下中の遊技球が凹状溝３５，３５から外側（左右方向における外側）へ外れた場合（飛び出した場合）には、ステージ１６の先端から受止部材１９ｂ，１９ｂ内に落下し、落下した受止部材１９ｂの底面上を転動してアウト口５９へ入り込む。そのようにアウト口４０あるいはアウト口５９，５９に遊技球が入り込んだ場合には、上記した大当たり抽選や賞品球の払い出しは実行されず、当該遊技球がアウト球として回収される。
【００３０】
［パチンコ機の効果］
パチンコ機１は、上記の如く、振分入賞装置１２が、突起体３１，３１・・、突起体３２，３２・・、および第一導球孔２６，２６・・、第二導球孔２７，２７を設けた振分板１５と、第一導球孔２６，２６・・に入り込んだ遊技球をステージ１６へ導いて高い確率でアウト口４０へ導くための第一誘導路３８と、第二導球孔２７，２７に入り込んだ遊技球を通過孔３７へ導いて高い確率で第二入賞口である入賞部材５３へ入賞させるための第二誘導路３９と、当該振分板１５上に遊技球を落下させるための落球部材１４とを有するものであり、振分入賞装置１２による遊技球の振り分けの態様が斬新であるため、非常に趣向性が高く、長期間に亘って遊技者の遊技意欲を高く保持することができる。
【００３１】
また、パチンコ機１は、落球部材１４が、遊技球を落下させるための遊技球と略同一の径を有する落球孔２４の周囲に、下向きの円錐台状のテーパ面２５を設けたものであり、振分入賞装置１２の内部に入り込んだ遊技球の勢いを十分に減殺して当該遊技球を振分板１５上に落下させるものであり、予定した割合で第一導球孔２６，２６・・あるいは第二導球孔２７，２７へ遊技球を振り分けることができるため、出玉率を調整し易い。
【００３２】
さらに、パチンコ機１は、各第一導球孔２６，２６・・の周囲にテーパ部３０が設けられているため、遊技球が第一導球孔２６，２６・・あるいは第二導球孔２７，２７に入らず振分板１５上で不必要に停滞する事態が起こりにくい。
【００３３】
［変更例］
なお、本発明の遊技機の構成は、上記実施形態の態様に何ら限定されるものではなく、遊技盤、遊技部材、振分入賞装置（振分機構）等の形状、構造、材質等の構成を、本発明の趣旨を逸脱しない範囲で適宜変更できる。
【００３４】
たとえば、本発明の遊技機は、上記実施形態の如く、２種類の導球孔を振分板に設けたものに限定されず、３種類以上の導球孔を振分板に設けたものでも良い。また、本発明の遊技機は、上記実施形態の如く、所定の導球孔を通過した際に大当たり抽選の実施確率が非常に高くなるものに限定されず、各導球孔に導かれた結果として遊技者にもたらされる付加価値を必要に応じて適宜変更することができる。さらに、各導球孔から最終的に導かれる入賞口（あるいはアウト口）までの経路も、上記実施形態の態様に限定されず、必要に応じて適宜変更することができる。
【００３５】
加えて、本発明の遊技機は、合計５個の導球孔を振分板に設けたものに限定されず、４個以下、あるいは６個以上の導球孔を振分板に設けたものでも良い。また、本発明の遊技機は、三角錐状の突起体を振分板に設けたものに限定されず、振分板に設ける突起体の形状を、円錐状や円柱状等に変更することも可能である。さらに、振分板は、上記実施形態の如く、水平面と１０°をなす角度に傾斜したものに限定されず、必要に応じて振分板の傾斜角度を適宜変更することができる。
【００３６】
また、本発明の遊技機は、上記実施形態の如く、一部の導球孔の周囲にテーパ部を設けたものに限定されず、全ての導球孔の周囲にテーパ部を設けることも可能である。さらに、テーパ部の幅も特に限定されず、必要に応じて増減することができ、場合によっては、遊技球直径程度の大きな幅を有するテーパ部を導球孔の周囲に設けることも可能である。加えて、テーパ部の形状も、上記実施形態の如き帯状に限定されず、必要に応じて適宜変更することができる。また、テーパ部は、上記実施形態の如く、水平面と１０°をなす角度に傾斜したものに限定されず、必要に応じてテーパ部の傾斜角度を適宜変更することができる。
【図面の簡単な説明】
【００３７】
【図１】パチンコ機の正面図である。
【図２】振分入賞装置の前方斜視図である。
【図３】落下部材の平面の様子を示す説明図である。
【図４】振分板の設置部分を示す説明図である（ａは平面図であり、ｂは前方斜視図である）。
【符号の説明】
【００３８】
１・・パチンコ機（遊技機）
４・・遊技盤
１２・・振分入賞装置（振分機構）
１４・・落球部材
１５・・振分板
２４・・落球孔
２５・・テーパ面
２６・・第一導球孔
２７・・第二導球孔
３０・・テーパ部
３８・・第一誘導路
３９・・第二誘導路
【図１】
2010022429.tif 000003
【図２】
2010022429.tif 000004
【図３】
2010022429.tif 000005
【図４】
2010022429.tif 000006